(57)【特許請求の範囲】
【請求項１】
風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂単独使用時に給湯用熱交換パイプの温度を検知してバーナの燃焼制御を行う熱交サーミスタを備え、前記風呂単独使用中に熱交サーミスタによる一定時間当たりのバーナ燃焼の休止回数が所定回数以上となった場合は、風呂サーミスタの故障と判断してバーナの燃焼を停止させる事を特徴とする給湯風呂装置。
【請求項２】
風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂単独使用時に給湯用熱交換パイプの温度を検知してバーナの燃焼制御を行う熱交サーミスタを備え、前記風呂単独使用中に熱交サーミスタが高温の所定温度以上を所定回数或いは所定時間検知した場合は、風呂サーミスタの故障と判断してバーナの燃焼を停止させる事を特徴とする給湯風呂装置。
【請求項３】
風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂単独使用時に給湯用熱交換パイプの温度を検知してバーナの燃焼制御を行う熱交サーミスタを備え、前記風呂単独使用中に熱交サーミスタによるバーナの燃焼制御が最小燃焼量を所定回数或いは所定時間行った場合は、風呂サーミスタの故障と判断してバーナの燃焼を停止させる事を特徴とする給湯風呂装置。
【発明の詳細な説明】
【技術分野】
【０００１】
この発明は、風呂の追い焚き機能と給湯機能とを有した１缶２水路方式の給湯風呂装置に関するものである。
【背景技術】
【０００２】
従来よりこの種のものでは、風呂の連続加熱制限時間を湯量と風呂の設定温度から算出し、連続加熱制限時間を経過した場合は、風呂サーミスタの故障として追い焚きを停止して異常加熱を防止するものであった。（例えば、特許文献１参照。）
【特許文献１】特許第３６９８３３７号公報
【発明の開示】
【発明が解決しようとする課題】
【０００３】
ところでこの従来のものでは、風呂の湯量を計測出来ない機種では適応出来ず、又途中で差し湯や差し水或いは風呂の蛇口からの補水等で湯量が変化している場合には、誤動作することとなり、確実に風呂サーミスタの故障を検知出来ないと言う課題を有するものであった。
【課題を解決するための手段】
【０００４】
この発明はこの点に着目し上記欠点を解決する為、特にその構成を、請求項１では、風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂単独使用時に給湯用熱交換パイプの温度を検知してバーナの燃焼制御を行う熱交サーミスタを備え、前記風呂単独使用中に熱交サーミスタによる一定時間当たりのバーナ燃焼の休止回数が所定回数以上となった場合は、風呂サーミスタの故障と判断してバーナの燃焼を停止させるものである。
【０００５】
又請求項２では、風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂単独使用時に給湯用熱交換パイプの温度を検知してバーナの燃焼制御を行う熱交サーミスタを備え、前記風呂単独使用中に熱交サーミスタが高温の所定温度以上を所定回数或いは所定時間検知した場合は、風呂サーミスタの故障と判断してバーナの燃焼を停止させるものである。
【０００６】
又請求項３では、風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂単独使用時に給湯用熱交換パイプの温度を検知してバーナの燃焼制御を行う熱交サーミスタを備え、前記風呂単独使用中に熱交サーミスタによるバーナの燃焼制御が最小燃焼量を所定回数或いは所定時間行った場合は、風呂サーミスタの故障と判断してバーナの燃焼を停止させるものである。
【発明の効果】
【０００７】
この請求項１の発明によれば、浴槽水の温度上昇に伴って熱交サーミスタの検知温度も上昇するので、バーナの燃焼が一旦停止され、そして熱交サーミスタの温度低下に伴って再びバーナの燃焼が再開され、この燃焼停止と再開が繰り返されるが、完全な停止がないことからこのＯＮ、ＯＦＦ周期が短くなることから、風呂サーミスタの故障と判断出来るものであり、従って新たなセンサを設けることなく、バーナ制御用の熱交サーミスタを利用して確実に検知出来、燃焼の継続を阻止して安全性の向上を図ることが出来、常に安心して使用出来るものである。
【０００８】
又請求項２によれば、浴槽水の温度上昇に伴う熱交サーミスタ自身の温度上昇により、風呂サーミスタの故障と判断するので、素早い対応が可能で誤動作の心配もなく確実に検知出来るものであり、勿論、新たなセンサを設けることなく、バーナ制御用の熱交サーミスタを利用して確実に検知出来、燃焼の継続を阻止して安全性の向上を図ることが出来、常に安心して使用出来ると言う効果も合わせて有するものである。
【０００９】
更に請求項３によれば、浴槽水の温度上昇に伴って熱交サーミスタの検知温度も上昇するので、バーナの燃焼が最小燃焼量に制御される回数や時間によって、風呂サーミスタの故障を判断するので、誤動作の心配が無く確実に検知出来るものであり、勿論、新たなセンサを設けることなく、バーナ制御用の熱交サーミスタを利用して確実に検知出来、燃焼の継続を阻止して安全性の向上を図ることが出来、常に安心して使用出来ると言う効果も合わせて有するものである。
【発明を実施するための最良の形態】
【００１０】
次にこの発明の一実施形態を図示した給湯風呂装置に基づいて説明する。
１は下方に備えられた灯油を燃料とするバーナ２の燃焼熱で加熱される熱交換缶体で、複数の同一フィン３に風呂循環回路４の一部を構成する風呂用熱交換パイプ５と、温水給湯用の給湯回路６の一部を構成する給湯用熱交換パイプ７とがそれぞれ貫通して備えられている。
【００１１】
前記風呂循環回路４は浴槽８と風呂用熱交換パイプ５とを連通する往き管９と戻り管１０とで構成され、前記往き管９には循環ポンプ１１と、浴槽水の温度を検知し設定の沸き上げ温度を検知することで追い焚き運転を停止させる風呂サーミスタ１２とが設けられている。
【００１２】
１３は給湯回路６の給水側から分岐したバイパス管１４からの給水と、該給湯用熱交換パイプ７の通過後の温水とを混合するミキシング弁で、下流側に備えられた給湯サーミスタ１５による給湯検知温度と給湯設定温度からミキシング流量を調節して設定温度の給湯を行うもので、この給湯サーミスタ１５は給湯検知温度と給湯設定温度をマイコンから成る給湯制御部１６に入力し、バーナ２の燃焼を制御するようにしているものである。
【００１３】
１７は風呂用熱交換パイプ５近傍の給湯用熱交換パイプ７に備えられた熱交サーミスタで、風呂単独使用に給湯制御部１６を介してバーナ２の燃焼を制御するもので、熱交サーミスタ１７が６０℃未満検知では１００００ｋｃａｌ／ｈの燃焼とし、６０℃以上７０℃未満では８０００ｋｃａｌ／ｈの燃焼とし、７０℃以上８０℃未満では５０００ｋｃａｌ／ｈの最小燃焼量とし、８０℃以上では一旦休止し、温度低下すれば再燃焼するように制御して、給湯用熱交換パイプ７に残留する給湯水が高温状態となることを防止するものである。
【００１４】
そして通常時追い焚き運転のバーナ２の燃焼停止や循環ポンプ１１の駆動停止は、上記した風呂サーミスタ１２が浴槽水温度がリモコン（図示せず）等で設定された設定温度に達したことを、検知することにより行われるものであるが、万一この風呂サーミスタ１２が故障した場合には、上記した熱交サーミスタ１７の８０℃以上の給湯水温度検知による燃焼の休止回数が所定回数ここでは３回以上／分であるかを給湯制御部１６でカウントし、風呂サーミスタ１２の故障と判断して循環ポンプ１１の駆動及びバーナ２の燃焼停止させるものであり、即ち、風呂用熱交換パイプ５と熱交サーミスタ１７が備えられた給湯用熱交換パイプ７とは、同一のフィン３に備えられているので、風呂サーミスタ１２が故障した時には、熱交サーミスタ１７の検知温度も上昇することとなり、従って、温度上昇で燃焼を一旦休止した分当たりの回数をカウントすることにより、風呂サーミスタ１２の代わりを務めることが出来、安全性を確保することが出来るものである。
【００１５】
次にこの一実施形態の作動について図３に示すフローチャートで説明すれば、今風呂単独使用時では、ステップ１８で風呂循環回路４の循環ポンプ１１が駆動されることで、浴槽８内の浴槽水が循環され、風呂用熱交換パイプ５ではステップ１９でバーナ２の燃焼が開始され、このバーナ２の燃焼熱で浴槽水は順次加熱されるものである。
【００１６】
そしてステップ２０では、熱交サーミスタ１７による給湯水の検知温度が６０℃未満かを検知し、ＹＥＳではステップ２１に進みバーナ２を１００００ｋｃａｌ／ｈで燃焼させるもので、ＮＯではステップ２２に進んで熱交サーミスタ１７の検知温度が６０℃以上７０℃未満かを判断し、ＹＥＳでステップ２３でバーナ２を８０００ｋｃａｌ／ｈで燃焼させ、ＮＯではステップ２４に進み熱交サーミスタ１７の検知温度が７０℃以上８０℃未満かを判断し、ＹＥＳでステップ２５でバーナ２を５０００ｋｃａｌ／ｈで燃焼させ、ＮＯではステップ２６に進み熱交サーミスタ１７の検知温度が８０℃以上かを判断し、ＹＥＳでステップ２７に進んでバーナ２の燃焼を一旦休止させる。
【００１７】
更に上記ステップ２７の次にはステップ２８に進んでバーナ２の燃焼休止回数が頻繁で３回以上／分かを判断し、ＮＯ及びステップ２１、２３、２５の次にはステップ２９に進み風呂サーミスタ１２が設定温度を検知したかを判断し、ＹＥＳではステップ３０に進んで追い焚き運転を停止させる為に、循環ポンプ１１を停止させると共にバーナ２の燃焼も停止させるもので、ステップ２９でＮＯ及びステップ２６でＮＯではステップ２０に戻るものである。
【００１８】
一方ステップ２８でバーナ２の休止回数が３回以上／分の時には、風呂サーミスタ１２の故障と判断して、ＹＥＳでステップ３１に進み循環ポンプ１１を停止すると共に、バーナ２の燃焼停止し、更に風呂サーミスタ１２の故障であることを報知するものである。
【００１９】
従って、風呂サーミスタ１２が故障して追い焚き運転が停止出来ない時には、熱交サーミスタ１７によるバーナ２の休止回数で代用するので、浴槽水の温度が異常に上昇するなどの危険がなく、極めて安全であり安心して使用出来るものであり、しかも修理が終了するまで使用が出来なくなることがなく、正確な湯温は得られないが一応追い焚きは可能であり、使用勝手は良いものである。
【００２０】
次に図４に示す他の実施形態を説明するが、同一部分には同一の符号を付し、説明を省略し相違部分のみ説明すれば、ステップ２８がステップ３２となり熱交サーミスタ１７が８０℃以上を検知した回数が３回以上／分或いは８０℃以上の検知時間が３０秒以上／分かを判断し、ＹＥＳでは風呂サーミスタ１２の故障としてステップ３１に進んで、循環ポンプ１１を停止すると共にバーナ２の燃焼を停止させ、風呂サーミスタ１２の故障報知も行うもので、ＮＯでは通常通りステップ２９に進ものである。
【００２１】
これにより、浴槽水の温度上昇に伴う熱交サーミスタ１７自身の温度上昇により、風呂サーミスタ１２の故障と判断するので、素早い対応が可能で誤動作の心配もなく確実に検知出来るものであり、勿論、新たなセンサを設けることなく、バーナ２制御用の熱交サーミスタ１７を利用して確実に検知出来、燃焼の継続を阻止して安全性の向上を図ることが出来、常に安心して使用出来ると言う効果も合わせて有するものである。
【００２２】
次に図５に示す他の実施形態を説明するが、同一部分には同一の符号を付し、説明を省略し相違部分のみ説明すれば、ステップ２５の次にステップ３３に進みバーナ２の最小燃焼量の５０００ｋｃａｌ／ｈの燃焼が、所定回数ここでは３回以上／分或いは所定時間ここでは３０秒以上／分かを判断し、ＹＥＳでは風呂サーミスタ１２の故障としてステップ３１に進んで、循環ポンプ１１を停止すると共にバーナ２の燃焼を停止させ、風呂サーミスタ１２の故障報知も行うもので、ＮＯでは通常通りステップ２９に進ものである。
【００２３】
これにより、浴槽水の温度上昇に伴って熱交サーミスタ１７の検知温度も上昇するので、バーナ２の燃焼が最小燃焼量に制御される回数や時間によって、風呂サーミスタ１２の故障を判断するので、誤動作の心配が無く確実に検知出来るものであり、勿論、新たなセンサを設けることなく、バーナ２制御用の熱交サーミスタ１７を利用して確実に検知出来、燃焼の継続を阻止して安全性の向上を図ることが出来、常に安心して使用出来ると言う効果も合わせて有するものである。
【図面の簡単な説明】
【００２４】
【図１】この発明の一実施形態を示す給湯風呂装置の概略説明図。
【図２】同電気回路の要部ブロック図。
【図３】同要部のフローチャート。
【図４】他の実施形態の要部フローチャート。
【図５】更に他の実施形態の要部フローチャート。
【符号の説明】
【００２５】
１  熱交換缶体
２  バーナ
３  フィン
４  風呂循環回路
５  風呂用熱交換パイプ
６  給湯回路
７  給湯用熱交換パイプ
１１  循環ポンプ
１２  風呂サーミスタ
１７  熱交サーミスタ
【図１】
0004988608.tif 000002
【図２】
0004988608.tif 000003
【図３】
0004988608.tif 000004
【図４】
0004988608.tif 000005
【図５】
0004988608.tif 000006